(57)【要約】【課題】  本発明は、操作性がよく、しかも、安全に使用することができる暖房装置を提供することにある。【解決手段】  暖房本体１に出し入れ自在なカートリッジタンク２を有する暖房装置であって、暖房本体１と、暖房本体１に出し入れ自在に装着されるカートリッジタンク２とを備えており、暖房本体１のカートリッジタンク２のタンク格納室７には、カートリッジタンク２の出し入れをする出入口１１が設けてあり、出入口１１には開閉自在な蓋３，４が設けてあり、蓋３，４は、カートリッジタンク２をタンク格納室７に格納してあるときに、カートリッジタンク２の給油口５を覆う給油口用蓋３と、給油口用蓋３の範囲外の出入口１１を塞ぐ出入口用蓋４とを有しており、カートリッジタンク２は、上側に給油口５を有するとともに、下側には注油口６を有しており、カートリッジタンク２をタンク格納室７から持ち上げたときにのみ、給油口用蓋３が開放することを特徴とする。【選択図】      図１（ａ）（ｂ）
2014190682.tif 000002
【特許請求の範囲】
【請求項１】
暖房本体に出し入れ自在なカートリッジタンクを有する暖房装置であって、
暖房本体と、暖房本体に出し入れ自在に装着されるカートリッジタンクとを備えており、
暖房本体のカートリッジタンクのタンク格納室には、カートリッジタンクの出し入れをする出入口が設けてあり、
出入口には開閉自在な蓋が設けてあり、
蓋は、カートリッジタンクをタンク格納室に格納してあるときに、カートリッジタンクの給油口を覆う給油口用蓋と、給油口用蓋の範囲外の出入口を塞ぐ出入口用蓋とを有しており、
カートリッジタンクは、上側に給油口を有するとともに、下側には注油口を有しており、
カートリッジタンクをタンク格納室から持ち上げたときにのみ、給油口用蓋が開放することを特徴とする暖房装置。
【請求項２】
給油口用蓋は、暖房本体に回転自在に軸部で軸支してあるとともに、その軸部を介して給油口閉塞部と被当接部とを有しており、
給油口閉塞部は、カートリッジタンクをタンク格納室に格納するときに、カートリッジタンクの一部が当接部に当接することにより給油口用蓋が軸部で回転してカートリッジタンクの給油口を閉塞し、
カートリッジタンクがタンク格納室にあるときは、被当接部がカートリッジタンクに規制されて給油口用蓋が開かないように形成してあることを特徴とする請求項１記載の暖房装置。
【請求項３】
カートリッジタンクは、給油口用蓋側の側壁部に被当接部と面一また突出した規制部を有していることを特徴とする請求項２記載の暖房装置。
【発明の詳細な説明】
【技術分野】
【０００１】
本発明は、石油ファンヒーター等に代表される暖房装置に関するものである。
【背景技術】
【０００２】
石油ファンヒーター等に代表される暖房装置は、灯油を収容するカートリッジタンクが本体内に着脱自在に備えてある。また、カートリッジタンクは、上下の一方側に給油口を有しており、暖房装置の使用時には、下向きの状態で本体内に挿入されており、灯油が給油口から暖房装置の本体内の送油部を経て燃焼部に送り込まれている。また、カートリッジタンク内の灯油がなくなれば、カートリッジタンクを本体から取り出し、カートリッジタンクの給油口を上に向けて蓋を外すことで灯油を補充することができる。
【発明の概要】
【発明が解決しようとする課題】
【０００３】
しかしながら、上記のような暖房装置にあっては、給油時にカートリッジタンクを本体から取り外し、そのカートリッジタンクの天地を替えて給油しなければならず、大変煩わしいものであった。そこで、実開昭５９−６５２３６号公報のように、カートリッジタンクの上方に給油口を有し、下方に注入口を有するものが登場した。上記の暖房装置は、カートリッジタンクを暖房本体に設置したまま、カートリッジタンクに灯油を供給することができる。ところが、上記の暖房装置は、暖房本体にカートリッジタンクを設置したまま直接給油できる構造であったため、暖房装置が作動中であれば、万一灯油が給油口から漏れ出た場合に、灯油が暖房本体の燃焼部内に浸入して燃焼部に灯油が入り込んでしまい、引火による事故を招く危険性があった。
【０００４】
本発明は、上記課題を鑑みてなされたものであり、給油が容易に行え、しかも、安全に使用することができる暖房装置を提供することにある。
【課題を解決するための手段】
【０００５】
本発明のうち請求項１記載の発明は、暖房本体に出し入れ自在なカートリッジタンクを有する暖房装置であって、暖房本体と、暖房本体に出し入れ自在に装着されるカートリッジタンクとを備えており、暖房本体のカートリッジタンクのタンク格納室には、カートリッジタンクの出し入れをする出入口が設けてあり、出入口には開閉自在な蓋が設けてあり、蓋は、カートリッジタンクをタンク格納室に格納してあるときに、カートリッジタンクの給油口を覆う給油口用蓋と、給油口用蓋の範囲外の出入口を塞ぐ出入口用蓋とを有しており、カートリッジタンクは、上側に給油口を有するとともに、下側には注油口を有しており、カートリッジタンクをタンク格納室から持ち上げたときにのみ、給油口用蓋が開放することを特徴とする。
【０００６】
本発明のうち請求項２記載の発明は、給油口用蓋は、暖房本体に回転自在に軸部で軸支してあるとともに、その軸部を介して給油口閉塞部と被当接部とを有しており、給油口閉塞部は、カートリッジタンクをタンク格納室に格納するときに、カートリッジタンクの一部が当接部に当接することにより給油口用蓋が軸部で回転してカートリッジタンクの給油口を閉塞し、カートリッジタンクがタンク格納室にあるときは、被当接部がカートリッジタンクに規制されて給油口用蓋が開かないように形成してあることを特徴とする。
【０００７】
本発明のうち請求項３記載の発明は、カートリッジタンクは、給油口用蓋側の側壁部に当接部とほぼ面一また突出した規制部を有していることを特徴とする。
【発明の効果】
【０００８】
本発明のうち請求項１記載の発明によれば、カートリッジタンクを持ち上げて給油口蓋を開放しなければ、給油口が外部に開放しない。これにより、暖房本体にカートリッジタンクを設置したままでは給油することができず、給油の失敗による燃焼部への引火が防がれるので、従来のように、給油時に、給油口を上に向けるためにカートリッジタンクを上下にひっくり返す必要のない利便性を確保しつつ、しかも、安全に暖房装置を使用できる。
【０００９】
本発明のうち請求項２記載の発明によれば、給油口用蓋が軸部により暖房本体に回転自在に軸支してあり、その軸部を介して給油口用蓋が給油口閉塞部と被当接部に分かれている。これにより、カートリッジタンクがタンク格納室に格納されているときには、被当接部がカートリッジタンクに規制されて給油口用蓋が開かない。したがって、カートリッジタンクが暖房本体に取り付けられた状態では、給油口から給油することができず、給油漏れ等による引火の心配がないことから、暖房装置を安全に使用ができる。
【００１０】
本発明のうち請求項３記載の発明によれば、カートリッジタンクを暖房本体のタンク格納室に格納するときに、給油口用蓋が倒れ込んでも規制部に当たることから、給油口用蓋がカートリッジタンクの当接部の下方に入り込まない。これにより、カートリッジタンクのタンク格納室への格納が円滑に行うことができる。
【図面の簡単な説明】
【００１１】
【図１（ａ）（ｂ）】（ａ）（ｂ）は、本実施による暖房装置を示す簡略化した要部縦断面図であり、カートリッジタンクを出し入れする状態を示すものである。
【図２】本実施による暖房装置を示す簡略化した要部縦断面図であり、カートリッジタンクを出し入れする状態を示すものである。
【図３（ａ）（ｂ）】（ａ）（ｂ）は、本実施による暖房装置を示す簡略化した要部拡大縦断面図であり、カートリッジタンクを出し入れする状態を示すものである。
【図４（ａ）（ｂ）】（ａ）（ｂ）は、本実施による暖房装置の要部を拡大した平面図である。
【図５】本実施による暖房装置の全体を示す斜視図である。
【図６】本実施による暖房装置の内部構造を示す簡略化した縦断面図である。
【図７（ａ）（ｂ）】（ａ）（ｂ）は、本発明の他の実施形態の暖房装置を示す斜視図である。
【発明を実施するための形態】
【００１２】
以下に、図面に基づいて本発明による暖房装置の第一実施形態について説明する。
本実施による暖房装置は、図５のように、大きく分けて暖房本体１と、カートリッジタンク２とから構成されている。
暖房本体１は、図６のように、燃焼部２１と、制御部２２と、タンク格納室７とからなっており、また、上記の各構成部位は、アルミ製あるいはステンレス製の不燃性の素材で形成されたケース体２３で覆われている。また、本実施による暖房装置では、ケース体２３の正面視して左側内部に燃焼部２１を有し、さらに、右側内部にタンク格納室７が設けてあり、また、ケース体２３の正面外周部に制御部２２を有するものである。燃焼部２１は、バーナー２４と放熱器２５と点火装置２６とから構成してあり、このうちバーナー２４と放熱器２５は燃焼室４１に設けてある。燃焼部２１では、カートリッジタンク２から給油された灯油を点火装置２６によりバーナー２４で点火することにより、バーナー２４の熱を放熱器２５から放熱する。そして、その輻射熱を背面側に設けてあるファン２７により、暖房本体１正面側に設けてある送風ガラリ４０（図５参照）から熱風を送り出す構造となっている。点火装置２６は、気化器２８と、ノズル２９と、点火プラグ３０とからなっている。気化器２８は、油受部８から送り込まれた灯油を電磁コイル等で加熱して気化させるものである。また、ノズル２９は、気化器２８で気化されたガスを噴霧するものである。さらに、点火プラグ３０は、ノズル２９から噴霧されたガスに点火し、バーナー２４を燃焼する機能を果たす。また、制御部２２は、燃焼部２１の燃焼温度の調整や燃焼時間、タイマー等の任意設定を行うものである。また、制御部２２は、使用者の側から本実施による暖房装置の使用状態を目視により確認できる液晶ディスプレイ等も有している。
【００１３】
暖房本体１のタンク格納室７は、図１，図４（ａ）（ｂ）と図５のように、その底部にカートリッジタンク２の注油口６を受ける油受部８が設けてあり、注油口６でカートリッジタンク２から送られた灯油を油受部８で受ける。そして、油受部８から灯油が燃焼部２１に送られて気化器２８で霧状にし、さらに、気化器２８の出口に有するノズル２９から気化した灯油を噴霧し、点火プラグ３０で点火することにより、バーナー２４が燃焼することになる。
【００１４】
本実施によるカートリッジタンク２は、図５のように平面視ほぼ矩形状をなす縦長かつ中空のタンク本体２ａと、タンク本体２ａの上側に設けてある給油口５と、タンク本体２ａの下側に設けてある注油口６とから構成されている。また、タンク本体２ａの底部には、間隔をあけた４カ所に支持脚１５が設けてある。この支持脚１５により、暖房本体１から取り出したカートリッジタンク２を起立した状態で床や地面に置くことができる。さらに、カートリッジタンク２の側壁部の上端には、側壁部からほぼ水平に突出した当接部１３が設けてある。また、図２を参照すれば、カートリッジタンク２の被当接部３ｂを有する側の側壁部には、規制部３１が設けてある。この規制部３１は、カートリッジタンク２の側壁面から外周側に突出しており、規制部３１の側端面は、当接部１３の側端面とほぼ面一となっている。これにより、カートリッジタンク２をタンク格納室７に格納するときに、給油口用蓋３が不意に閉じてカートリッジタンク２側に倒れても、給油口用蓋３の給油口閉塞部３ａが当接部１３の下方に潜り込まない。したがって、カートリッジタンク２の格納を妨げずに円滑にタンク格納室７に格納できる。
【００１５】
次に、タンク格納室７の構造について説明する。
タンク格納室７は、図６を参照すれば、暖房本体１内部の燃焼部２１と並列に設けてある。また、図１（ａ）（ｂ）と図２および図３（ａ）（ｂ）のように、タンク収納室７の上方は、カートリッジタンク２の出入口１１が設けてあり、出入口１１の内周部には、軸部１２で軸支されて水平軸回転する給油口用蓋３と出入口用蓋４がそれぞれ取り付けてある。また、給油口用蓋３と出入口用蓋４は、出入口１１の外周側に観音開きで開閉する。さらに、給油口用蓋３は、給油口閉塞部３ａと被当接部３ｂとから側面視ほぼＬ字状をなしている。また、軸部１２は、給油口用蓋３における給油口閉塞部３ａと被当接部３ｂの境界に軸支される。また、出入口用蓋４は、ほぼ水平な板状をなしており、暖房本体１に水平軸回転するように軸支してあり、給油口用蓋３とともに出入口１１を覆うものである。さらに、出入口用４蓋を単独で開閉することができ、出入口用蓋４を開放したときには、カートリッジタンク２の持ち手１４を露出させる。
【００１６】
上記のようにタンク格納室７を形成したときの給油口用蓋３の作動状態について、図１（ａ）（ｂ）と図２および図３（ａ）（ｂ）に基づいて説明する。
給油時に、タンク格納室７にカートリッジタンク２が格納されているときには、給油口用蓋３の給油口閉塞部３ａがカートリッジタンク２の給油口５を塞ぎ、被当接部３ｂがカートリッジタンク２の側壁外周側に位置する。そして、この状態では、給油口用蓋３が開閉しないことから、タンク格納室７にカートリッジタンク２が格納された状態で給油できない構造となっている。これにより、カートリッジタンク２をタンク格納室７から取り出さなければ給油できず、安全な暖房装置の使用ができるまた、カートリッジタンク２をタンク格納室７から取り出したときには、カートリッジタンク２の上側に押し広げられた給油口用蓋３が軸部１２で水平軸回転する。このときに、給油口用蓋３の被当接部３ｂがカートリッジタンク２の当接部１３の下側に回り込み、この当接部１３が給油口用蓋３の回転を規制するストッパーとして機能する。これにより、カートリッジタンク２をタンク格納室７に格納するときは、必ず給油口用蓋３が閉まる構造となっている。したがって、給油口用蓋３が開放した状態でカートリッジタンク２をタンク格納室７に格納できない構造となっている。
【００１７】
上記のように本実施の暖房装置を形成することにより、以下に示す作用、効果を奏する。
上記のようにカートリッジタンク２を暖房本体１のタンク格納室７に格納したままでは、給油口用蓋３がカートリッジタンク２の当接部で規制されて回転不能な状態で閉塞されている（図１（ｂ）参照）。これにより、給油口５が外部に露出せず、このままでは給油ができないことから、暖房本体１に直接灯油を給油することができない。したがって、暖房装置を使用しながら給油を行う危険が解消されて、万一の引火による火災等の事故を防ぐことができる。また、カートリッジタンク２を取り出して給油するときは、カートリッジタンク２の底部に支持脚１５が設けてあるので、取り出した給油口５を上側に向けたままの状態でカートリッジタンク２を起立させて給油することができる。また、カートリッジタンク２をタンク格納室７に格納するときに、カートリッジタンク２が給油口用蓋３の被当接部３ｂに不意に当たり、給油口用蓋３が倒れ込んで給油口閉塞部３ａがカートリッジ側に倒れ込むことがある。これに対して、給油口閉塞部３ａをカートリッジタンク２の規制部３１で受けることにより、給油口閉塞部３ａがカートリッジタンク２の当接部１３の下方に入り込まない構成となる。このことから、カートリッジタンク２をタンク格納室７内に降ろしても給油口用蓋３が邪魔にならず、カートリッジタンク２を円滑にタンク格納室７に格納できる（図２参照）。
【００１８】
本発明の暖房装置は、上記実施形態に限定するものではない。
給油口用蓋３と出入口用蓋４は、その二つの蓋３，４で暖房本体１の出入口１１を閉塞することができ、さらに、給油口用蓋３がカートリッジタンク２の給油口５を塞ぐことのできる大きさであればよい。例えば、カートリッジタンク２がタンク格納室７に格納された状態で、給油口用蓋３が給油口５のみを塞ぎ、その他の出入口１１を出入口用蓋４が塞ぐ構造であってもよい。また、給油口用蓋３の被当接部３ｂは、カートリッジタンク２を暖房本体１の出入口１１から出し入れするときに、カートリッジタンク２の当接部１３と当接する大きさや形状であればよい。さらに、給油口用蓋３については、カートリッジタンク２を油受部８に差し込んだときに給油口５を閉塞し、また、油受部８から外したときに開放する構造であってもよい。例えば、給油口用蓋３がスライド式に開閉するもの等でも可能である。また、規制部３１は、給油口用蓋３がカートリッジタンク２の当接部１３の下方に潜り込まず、被当接部３ｂが規制部３１やカートリッジタンク２の側壁面に当たらない構造であれば、上記形態のものに限定するものではない。
【００１９】
図７（ａ）（ｂ）のものは、上記実施形態でカートリッジタンク２の支持脚１５を示したが、この支持脚１５に替わるカートリッジタンク２の起立手段である。具体的に、カートリッジタンク２とは別のスタンド４３を設置するものであり、スタンド４３には、注油口６の突出を避ける凹溝が設けある。
【符号の説明】
【００２０】
１  暖房本体
２  カートリッジタンク
３  給油口用蓋（蓋）
３ａ  給油口閉塞部
３ｂ  被当接部
４  出入口用蓋（蓋）
５  給油口
６  注油口
７  タンク格納室
１１  出入口
１２  軸部
１３  当接部
３１  規制部
【図１（ａ）（ｂ）】
2014190682.tif 000003
【図２】
2014190682.tif 000004
【図３（ａ）（ｂ）】
2014190682.tif 000005
【図４（ａ）（ｂ）】
2014190682.tif 000006
【図５】
2014190682.tif 000007
【図６】
2014190682.tif 000008
【図７（ａ）（ｂ）】
2014190682.tif 000009